(57)【要約】【課題】            仮設のエアコン設備において、室外機を保護して安全に長時間にわたって使用することができる室外機カバーの構造に関する。【解決手段】        屋外に位置させる室外機Ａの枠体９を覆う室外機カバー１０を設け、該室外機カバー１０の背面板１０ａは室外機Ａの背面との間に所定間隔１１を配置し、側面板１０ｂには空気流入口１２を配置し、正面板１０ｃには空気流出口１３を配置し、該空気流出口１３の内縁には室外機Ａの正面の吹出口２ａの外周に当接する空気遮断板１４を設ける。室外機Ａを運転すると、高温となった空気は空気遮断板１４に誘導されて外方に向けて吹出すので、室外機Ａの周辺に滞留することはない。また、上面板１０ｄによって日光が遮られ、空気流入口１２から室外機カバー１０内に入った空気は室外機Ａの側方から背面に向かう空気流となるから、室外機カバー１０内が常に新鮮な空気に満たされ、室外機Ａは低い温度を維持することができる。【選択図】          図１
2005134087.tif 000002
【特許請求の範囲】
【請求項１】
屋外に位置させる室外機Ａには冷媒を加圧する圧縮機１と、室外機Ａの正面に設けた吹出口２ａに連なる空気流路２と、該空気流路２の吸込口２ｂ側に設けた第１熱交換器３と、この第１熱交換器３よりも吹出口２ａ側に設けた送風機４とを備えており、
屋内に位置させる室内機Ｂには第１熱交換器３から冷媒配管５を介して送られる液化冷媒の気化熱を取り出す第２熱交換器６と、該第２熱交換器６内に空気を通過させる室内空気流路７に配置した対流送風機８とを備えており、
第２熱交換器６によって気化した冷媒が冷媒配管５を介して圧縮機１に戻される冷凍回路を形成したエアコン装置において、
前記室外機Ａの枠体９を覆う室外機カバー１０を設け、該室外機カバー１０の背面板１０ａは室外機Ａの背面との間に所定間隔１１を配置し、
該室外機Ａの側方に対向する室外機カバー１０の側面板１０ｂには空気流入部を形成する多数の開口１２ａからなる空気流入口１２を配置し、
かつ、室外機Ａの正面の吹出口２ａに対向する室外機カバー１０の正面板１０ｃに空気流出口１３を配置し、
前記空気流出口１３の内縁には前記室外機Ａの吹出口２ａの外周に当接する空気遮断板１４を設け、
前記室外機カバー１０は前記空気流出口１３のある正面板１０ｃと室外機カバー１０の上面板１０ｄには主たる空気流入部が形成されないことを特徴とするエアコン設備の室外機カバー。
【請求項２】
前記室外機カバー１０内への空気流入部分を構成する空気流入口１２は、室外機カバー１０の背面板１０ａにも形成される請求項１に記載のエアコン設備の室外機カバー。
【請求項３】
前記室外機カバー１０の空気流入口１２は、内側よりも外側が低くなる横桟１２ｂによって多数のスリット状の開口１２ａを形成してなる請求項１または２に記載のエアコン設備の室外機カバー。
【請求項４】
前記空気流入口１２には多数のスリット状の開口１２ａを通過する空気流を遮る網状体１２ｃを配置してなる請求項１乃至３のいずれか１項に記載のエアコン設備の室外機カバー。
【請求項５】
前記室外機Ａと室内機Ｂは共通のベース１５の端に設置されて一体化した仮設エアコンＣを形成し、
該室外機Ａと室内機Ｂの間に仮設設備Ｄの側壁１６が配置されて室内と室外とを隔離しており、
前記室外機カバー１０の背面板１０ａの下部にはベース１５を避ける切欠き部１７が形成され、
該仮設設備Ｄの側壁１６とベース１５の端に設置した室外機Ａとの間に、前記室外機カバー１０の背面板１０ａが配置されることを特徴とする請求項１乃至４のいずれか１項に記載の仮設エアコン設備に使用できる室外機カバー。
【請求項６】
前記室外機カバー１０はその背面板１０ａと側面板１０ｂとの接合部に丁番１８を配置し、２枚の側面板１０ｂが背面板１０ａに重なるように折畳まれ、
両側の側面板１０ｂの前端と正面板１０ｃの両端との間には係合部１９を設けて、正面板１０ｃは側面板１０ｂの前縁に着脱可能になっており、
前記室外機カバー１０の上面板１０ｄは四角枠を構成する背面板１０ａと両側面板１０ｂと正面板１０ｃとの上端の内側に嵌合する凸部２０を形成し、該上面板１０ｄはこの凸部２０によって背面板１０ａと両側面板１０ｂと正面板１０ｃとの間の四角枠の位置を固定したことを特徴とする請求項１乃至５のいずれか１項に記載の仮設エアコン設備に使用できる室外機カバー。
【発明の詳細な説明】
【技術分野】
【０００１】
この発明は仮設のエアコン設備の室外機に使用できる室外機カバーの構造に関するものである。
【背景技術】
【０００２】
最近の一般の家庭などで使用するエアコン装置はセパレート形がほとんどであり、屋外に位置した室外機には、冷媒を加圧する圧縮機と第１熱交換器とを備えると共に、空気調和する屋内に設置した室内機には、室外機の第１熱交換器と圧縮機とを冷媒配管で連結した第２熱交換器を配置している。そして、圧縮機で加圧された高温の冷媒は、第１熱交換器で液化して室内機の第２熱交換器に送られ、室内空気と熱交換して液状の冷媒は気化して室内空気を冷却するとともに、この第２熱交換器で気化した冷媒は再び冷媒配管を介して圧縮機に戻される。
【０００３】
そして、屋外に設置した室外機を保護するために、室外機カバーが使われているが、一般に対象となる室外機は背面が建物の壁面に向けられて保護しなくとも良いから、従来の室外機カバーは正面と両側面と上面を覆う枠組した形状で、背面は開放状態としている。また、空気の通過を妨げないように全体にたくさんの開口ができるように、桟の組み合わせで作られているものが多い。
【０００４】
一方、既存の建物の部屋を空気調和するように、最近では３方を囲う壁部と屋根部によって前面が開放した仮設の売店や、囲われた空間を作り出す仮設のテント設備になどにおいても空気調和する要望があり、特許文献１に示すようにひとつのベースに室内機と室外機を配置し、この室内機と室外機との間隔に仮設設備の側壁を位置させる、仮設設備に使用できるエアコン装置の提案がある。
【０００５】
【特許文献１】特開２００３−１３９３８３号公報
【発明の開示】
【発明が解決しようとする課題】
【０００６】
一般の建物に設置するエアコン設備では、室外機や室内機の設置位置は吟味されて最適位置に設置されるが、仮設の売店や仮設のテントでは仮設設備の設置位置や使用目的を優先させなければならず、仮設されるエアコン設備の室内機の設置位置は多くの場合空きスペースに配置されるものであり、この室内機に付設される室外機は直射日光に晒される場所や、埃が多いところなどに設置しなければならないときが多く、このような仮設エアコン設備では、室外機を保護するために室外機カバーの必要性がある。
【０００７】
そして、このように仮設設備の事情で室外機を設置場所として適さない位置に取り付けたときには、室外機の性能を充分引き出すことができなくなるが、仮設設備に使用できる専用の室外機カバーで室外機を保護することによって、所定の性能を出したいという課題が見出された。
【課題を解決するための手段】
【０００８】
この発明は上記課題を解決するもので、屋外に位置させる室外機Ａには冷媒を加圧する圧縮機１と、室外機Ａの正面に設けた吹出口２ａに連なる空気流路２と、該空気流路２の吸込口２ｂ側に設けた第１熱交換器３と、この第１熱交換器３よりも吹出口２ａ側に設けた送風機４とを備えており、屋内に位置させる室内機Ｂには第１熱交換器３から冷媒配管５を介して送られる液化冷媒の気化熱を取り出す第２熱交換器６と、該第２熱交換器６内に空気を通過させる室内空気流路７に配置した対流送風機８とを備えており、第２熱交換器６によって気化した冷媒が冷媒配管５を介して圧縮機１に戻される冷凍回路を形成したエアコン装置において、前記室外機Ａの枠体９を覆う室外機カバー１０を設け、該室外機カバー１０の背面板１０ａは室外機Ａの背面との間に所定間隔１１を配置し、該室外機Ａの側方に対向する室外機カバー１０の側面板１０ｂには空気流入部を形成する多数の開口１２ａからなる空気流入口１２を配置し、かつ、室外機Ａの正面の吹出口２ａに対向する室外機カバー１０の正面板１０ｃに空気流出口１３を配置し、前記空気流出口１３の内縁には前記室外機Ａの吹出口２ａの外周に当接する空気遮断板１４を設け、前記室外機カバー１０は前記空気流出口１３のある正面板１０ｃと室外機カバー１０の上面板１０ｄには主たる空気流入部が形成されない構造となっている。
【０００９】
また、室外機カバー１０内への空気流入部分を構成する空気流入口１２は、室外機カバー１０の背面板１０ａにも形成される構成としたから、室外機カバー１０内へ流入する空気量が確保しやすくなる。
【００１０】
また、室外機カバー１０の空気流入口１２は、内側よりも外側が低くなる横桟１２ｂによって多数のスリット状の開口１２ａを形成したから、空気流入口１２に向けて流れる埃やごみは横桟に付着する時には、外側に向けて脱落させることができる。
【００１１】
また、空気流入口１２には多数のスリット状の開口１２ａを通過する空気流を遮る網状体１２ｃを配置すれば、枠体内に埃やごみの侵入を確実に防ぐことができた。
【００１２】
また、室外機Ａと室内機Ｂは共通のベース１５の端に設置されて一体化した仮設エアコンＣを形成し、該室外機Ａと室内機Ｂの間に仮設設備Ｄの側壁１６が配置されて室内と室外とを隔離しており、前記室外機カバー１０の背面板１０ａの下部にはベース１５を避ける切欠き部１７が形成されている。このため、該仮設設備Ｄの側壁１６とベース１５の端に設置した室外機Ａとの間に、前記室外機カバー１０の背面板１０ａが配置できるようになり、ベース１５によって室外機Ａと室内機Ｂとが一体化されていても、室外機Ａは確実に室外機カバー１０で覆うことができる。
【００１３】
更に、室外機カバー１０はその背面板１０ａと側面板１０ｂとの接合部に丁番１８を配置し、２枚の側面板１０ｂが背面板１０ａに重なるように折畳まれ、両側の側面板１０ｂの前端と正面板１０ｃの両端との間には係合部１９を設けて、正面板１０ｃは側面板１０ｂの前縁に着脱可能になっており、前記室外機カバー１０の上面板１０ｄは四角枠を構成する背面板１０ａと両側面板１０ｂと正面板１０ｃとの上端の内側に嵌合する凸部２０を形成し、該上面板１０ｄはこの凸部２０によって背面板１０ａと両側面板１０ｂと正面板１０ｃとの間の四角枠の位置を固定したから、仮設設備Ｄを撤収したときに室外機カバーも小さく収納することができるようになった。
【発明の効果】
【００１４】
この発明は仮設設備Ｄに利用できるエアコン装置の室外機Ａの枠体９を覆う室外機カバー１０を設け、この室外機のカバー１０の側面板１０ｂに空気流入口１２を配置し、室外機カバー１０の正面板１０ｃに配置した空気流出口１３の内縁から室外機Ａの吹出口２ａの外縁に当接する空気遮断板１４を設けたから、室外機Ａを運転すると、高温となった空気は空気遮断板１４に誘導されて外方に向けて吹出して、室外機Ａの周辺に滞留することはなくなった。また、上面板１０ｄによって日光が遮られ、空気流入口１２から室外機カバー１０内に入った空気は室外機Ａの側方から室外機カバー１０内を室外機Ａの背面に向かう空気流となるから、室外機カバー１０内は常に新鮮な空気に満たされて、室外機Ａは低い温度を維持することができた。
【００１５】
また、従来の背面板１０ａを備えていない構成の室内機カバー１０では、仮設設備Ｄの側壁１６を柔軟性のあるテント織布で構成すると、この側壁１６が室外機Ａの背面に設けた吸込口２ｂに向かう吸い込み力で移動して封鎖する時があったが、この発明の室外機カバー１０には背面板１０ａを配置したから、室外機Ａの背面に空気の流通が可能な間隔１１が形成でき、室外機カバー１０内の空気の流通不良のトラブルは発生しなくなった。
【００１６】
また、仮設設備Ｄの側壁１６としてある程度の強度が期待できるときには、室外機カバー１０の背面板１０ａに空気流入口１２を形成してもよく、背面からも空気の流入が可能になると共に、もし仮設設備Ｄの側壁１６が移動して背面板１０ａの空気流入口１２に吸い付くときでも、室外機Ａ内に空気を吸入する間隔１１が確保でき、室外機Ａ内へ流入する空気量は維持することができる。
【００１７】
また、前記室外機カバー１０の空気流入口１２を形成するスリット状の開口１２には外側が低い傾斜した横桟１２ｂを配置したから、室外機Ａがごみや埃が多いところに設置されても、横桟１２ｂに付着した埃を外側からはらうと外側に脱落するようになり、掃除がしやすくなる。
【００１８】
また、前記空気流入口１２には網状体１２ｃを配置して通過する空気流を遮る構成とすれば、室外機カバー１０内へ埃やごみの侵入を防ぐことができ、内装した室外機Ａのよごれは格段に少なくすることができた。
【００１９】
また、室外機カバー１０の背面板１０ａの下部に切欠き部１７を形成したから、この切欠き部１７に室外機Ａと室内機Ｂを配置する共通のベース１５を位置させることができるようになり、ベース１５によって室外機Ａと室内機Ｂとが一体化した仮設設備専用の仮設エアコンＣの室外機Ａは、確実に室外機カバー１０で覆うことができるようになった。
【００２０】
更に、室外機カバー１０の背面板１０ａと側面板１０ｂとの接合部に丁番１８を配置し、両側の側面板１０ｂの前端と正面板１０ｃの両端との間には、正面板１０ｃを側面板１０ｂの前縁に着脱可能とする係合部１９を設け、また、室外機カバー１０の上面板１０ｄは四角枠を構成する背面板１０ａと両側面板１０ｂと正面板１０ｃとの上端の内側に嵌合する凸部２０を形成したから、室外機カバー１０は組立てやすく、また小さく収納ができるようになり、設置と撤収を繰り返す仮設設備Ｄの室外機カバー１０として最適となる。
【実施例】
【００２１】
実施例を示す図によってこの構成を説明すると、Ｄはエアコン装置を設置する仮設設備、Ａは仮設設備Ｄの外側に配置する室外機、Ｂは仮設設備Ｄの室内側に配置する室内機である。１６は仮設設備Ｄの外部との仕切りを兼ねた側壁であり、仮設設備Ｄは側壁１６によって３方向を囲うと共に屋根部を設けた、正面が開放した仮設売店として使われており、また、４方向の側壁１６と屋根部とで構成するほぼ密閉した空間が作り出せるテント装置として使われている。
【００２２】
Ｃは室外機Ａと室内機Ｂとを一体化した仮設エアコン、１５は仮設エアコンＣを構成するベースであり、該ベース１５の一方の端に室外機Ａが設置され、他方の端に室内機Ｂが設置されて仮設エアコンＣが構成されており、この室外機Ａと室内機Ｂとの間の間隔に前記仮設設備Ｄの側壁１６を位置させることで、仮設設備Ｄの室内側に位置した室内機Ｂによって、仮設設備Ｄの内部空間を空気調和させることができる。
【００２３】
９は室外機Ａを構成するための各種部品を内装する室外機枠体、２は室外機枠体９の内部に配置した空気流路、２ａは空気流路２の出口を構成する室外機Ａの正面に設けた吹出口、２ｂは空気流路２の入口を構成する室外機Ａの背面に設けた吸込口、３は空気流路２の吸込口２ｂ側に設けた第１熱交換器、４はこの第１熱交換器３よりも吹出口２ａ側の空気流路２内に設けた送風機であり、該送風機４を運転すると室外機枠体９の外の空気は吸込口２ｂから吸い込まれ、第１熱交換器３を通過して吹出口２ａから室外機枠体９の外に戻される。
【００２４】
２１は室内機Ｂを構成するための各種部品を内装する室内機枠体、７は室内機枠体２１の内部に配置した室内空気流路、７ａは室内機枠体２１に設けた室内空気流路７の入口を構成する吸入口、７ｂは室内空気流路７の出口を構成する室内機Ｂの正面に設けた吐出口、６は室内空気流路７の吸入口７ａ側に設けた第２熱交換器、８はこの第２熱交換器６よりも吐出口７ｂ側の室内空気流路７内に設けた対流送風機であり、該対流送風機８を運転すると室内の空気は吸入口７ａから吸い込まれ、第２熱交換器６を通過して吐出口７ｂから室内に戻される。
【００２５】
１は屋外に位置させた室外機枠体９内に設置した冷媒を加圧する圧縮機、５は室外機Ａと室内機Ｂとを連絡する冷媒配管であり、前記圧縮機１を運転すると圧縮されて高温高圧となった冷媒は第１熱交換器３に送られ、この冷媒は送風機４によって第１熱交換器３を通過する室外空気と熱交換して液化する。この液化した冷媒は図示せざるキャピラリー管を通過するときに圧縮機１で加圧された圧力を下げ、冷媒配管５を経て室内機Ｂに設置した第２熱交換器６に送られて、この第２熱交換器６内で気化する。そして、室内送風機８によって第２熱交換器６を通過する室内空気は冷媒の気化熱によって冷却され、低温空気となって室内に戻される。一方、気化してガス状となった冷媒は、冷媒配管５を介して室外機Ａの圧縮機１に戻されて再び加圧され、この加圧された冷媒は第１熱交換器３に送られて循環しており、冷凍回路を構成している。
【００２６】
このような冷凍回路では、室外機Ａの中に設置された圧縮機１が冷媒を圧縮する時に高温度になり、また、第１熱交換器３に送られた冷媒の持つ熱量は、前記送風機４で空気流路２内に吸込まれた室外空気に放熱しているから、室外機枠体９内は常に高温になりやすい環境にある。そして、温度が異常に高くなることは圧縮機１の故障原因であるから、圧縮機１にハイリミットスイッチが取り付けられ、このハイリミットスイッチが異常高温を検出した時には圧縮機１の駆動電力を供給する回路を遮断して、圧縮機１の運転を停止する構成となっている。このため、圧縮機１の運転が停止すれば冷凍回路が停止するから、室内機Ｂが取り付けられた空間の空気調和が長時間にわたって停止することになる。このハイリミットスイッチが作動する時は、外気温度が高温になって冷房などの空気調和が必要な時であり、ハイリミットスイッチは最後の安全装置として、普段は作動させないようにすることが好ましい。
【００２７】
しかしながら、仮設設備としての売店やテント装置などを設置した時、その設備を恒久的に設置続けるに適した場所はまれで、多くの場合は建物の設置位置として不向きな場所であり、更に、この設備に使用する仮設エアコンＣの室外機Ａの設置位置は、直射日光に晒されて不使用時でも室外機枠体９内の温度が高温になり易い場所とか、埃の多いところに設置しなければならない事例が多い。
【００２８】
この発明はこのような設置場所の選択ができない仮設のエアコン設備において、室外機Ａを保護して安全に長時間にわたって使用することができるようにするもので、１０は冷凍回路を構成する室外機枠体９を覆う室外機カバー、１０ａは室外機Ａと室内機Ｂを一体化した仮設エアコンＣの室外機Ａと室内機Ｂとの間に位置させた室外機カバー１０の背面板、１０ｂは背面板１０ａの両端に接続されて室外機Ａの側方に対向する室外機カバー１０の側面板、１０ｃはそれぞれの側面板１０ｂの前端同士を接続する室外機カバー１０の正面板、１０ｄは四角枠形状に配置された背面板１０ａと側面板１０ｂと正面板の１０ｃの上端に配置した上面板である。
【００２９】
１１は前記ベース１５に設置された室外機Ａの吸込口２ｂのある背面と、前記室外機カバー１０の背面板１０ａとの間に形成した所定間隔、１２ａは室外機カバー１０に設けた空気流入部を形成する多数の開口、１２は開口１２ａで構成する空気流入口であり、実施例の空気流入部を構成する開口１２ａは室外機カバー１０の側面板１０ｂに開けられている。１３は室外機Ａの正面の吹出口２ａに対向する室外機カバー１０の正面板１０ｃに設けた空気流出口、１４は室外機カバー１０の正面板１０ｃに配置した空気流出口１３の内縁に取り付けられ、その先端が室外機Ａの吹出口２ａの外周に当接する空気遮断板である。
【００３０】
このように室外機カバー１０内への空気流入部は側面板１０ｂに設けられており、前記室外機カバー１０の上面板１０ｄと空気流出口１３のある正面板１０ｃには主たる空気流入部が形成されていない構造となっている。このため、室外機Ａの送風機４を運転すると、この室外機カバー１０内は負圧となり、室外機カバー１０の外の空気は送風機４によって吸引されて側面板１０ｂに形成した空気流入口１２から室外機カバー１０の中に入る。そして、この空気は室外機Ａと室外機カバー１０との間隔から、室外機カバー１０の背面板１０ａと室外機Ａの背面で形成する所定間隔１１を経て、室外機Ａの背面の吸込口２ｂから室外機枠体９内の空気流路２に吸い込まれる。
【００３１】
この時、圧縮機１が運転して高温高圧となった冷媒は第１熱交換器３に送られており、この冷媒は吸込口２ｂから空気流路２に入った空気によって冷やされて液化する。一方、この室外機Ａ内の第１熱交換器３で冷媒と熱交換した空気は高温となっており、この空気が吹出す室外機カバー１０の正面板１０ａの空気流出口１３の内縁には空気遮断板１４が取り付けられており、この空気遮断板１４の先端は室内機Ａの吹出口２ａの外周に当接しており、室外機カバー１０の空気流出口１３から前方に吹出す熱交換後の高温の空気は、空気遮断板１４によって誘導されて直接室外機カバー１０の前方に吹出し、室外機カバーの１０中に逆流する恐れはない。
【００３２】
この発明の室外機カバー１０は室外機Ａの全体が覆われる構成であり、室外機Ａが仮設設備Ｄの南面の側壁１６付近に配置されて日光を遮るものがなくとも、室外機カバー１０の正面板１０ｃや上面板１０ｄには日光が差し込む空気流入部を作り出す開口１２ａがないので、室外機Ａは室外機カバー１０の正面板１０ｃや上面板１０ｄに遮られて直接日光によって室外機枠体９内が加熱されることはなくなり、低温度に維持できるようになったものである。
【００３３】
また、このような条件では室外機カバー１０の上面板１０ｄが加熱された結果として、室外機カバー１０内が高温になって、結局、室内機Ａを含めて内部が高温度になってしまうが、この発明では室外機Ａの吹出口２ａから吹出す高温となった空気は空気遮断板１４に誘導されて外方に向けて吹出して、室外機カバー１０内には流入しないから、送風機４によって室外機Ａの吸込口２ｂに吸い込まれる空気によって、室外機カバー１０内の全体が外よりも負圧になる。このように室外機カバー１０内が負圧になれば開口１２ａから吸い込まれて室外機カバー１０内に入った空気は、室外機Ａの側方から直接又は上面部分を経て背面に向かう空気流となって、背面の吸込口２ｂを経て空気流路２に向かうようになり、室外機カバー１０内は常にこの新鮮な空気に満たされ、この室外機カバー１０内に入る熱量は吸込口２ｂに向かう空気で運ばれて室外機Ａを低い温度に維持することができた。
【００３４】
ところで、背面板１０ａを備えていない構成の一般的な室内機カバー１０では、送風機４によって室外機Ａに吸い込まれる空気は背部付近の空気だけであり、遮熱のために室外機カバー１０に形成する通気口の数を少なくしても、この室外機カバー１０と室外機Ａとの間隔の空気流を作り出すことはできないものであり、悪条件の基では室外機Ａは常にオーバーヒートの恐れがある。この発明の構造によれば室外機Ａの全体を覆う室外機カバー１０を用いて遮熱する構造において、始めて長時間使用においても内部の室外機Ａが加熱しなくなったものであり、設置場所の選択が不可能な仮設設備Ｄの為のエアコン装置のための、最適な遮熱システムが実用化できたものである。
【００３５】
このように室内機カバー１０は仮設設備Ｄに使用する仮設エアコンＣの室外機Ａの遮熱に使うときがあり、この仮設設備Ｄの側壁１６として柔軟性のあるテント織布などで構成すると、側壁１６は風によってその位置を常に変化させるから、この側壁１６が室外機Ａの背面に設けた吸込口２ｂに向けて移動して吸込口２ｂを封鎖する時がある。この発明の室外機カバー１０には背面板１０ａを配置したから、室外機Ａの背面との間に空気の流通が可能な間隔１１が形成でき、仮設設備Ｄの室外機Ａの室外機カバー１０として使うときに、柔軟な側壁１６が動いても背面板１０ａに遮られ、室外機Ａの吸込口２ａを封鎖するトラブルは防止でき、室外機カバー１０内の空気の流通不良は発生しなくなった。
【００３６】
また、仮設設備Ｄの側壁１６としてある程度の強度が期待できるときには、側壁１６が大きく移動することがないので、仮設エアコンＣの室外機Ａと室内機Ｂとの間に配置した室外機カバー１０の背面板１０ａに空気流入口１２を形成しても、移動した側壁１６によって塞がれることはなく、室外機カバー１０の背面からも空気の流入が可能になり、室外機Ａ内へ流入する空気量が不足する恐れはなくなった。また、室外機カバー１０の背面板１０ａに形成した空気流入口１２に、仮設設備Ｄの側壁１６が移動して封鎖することがあっても、室外機Ａとの間に空気が通過できる間隔１１を確保しており、室外機カバー１０の側面板１０ｂに設けた開口１２ａから室外機Ａ内へ必要とする最低の空気量は確保することができるものである。
【００３７】
また、前記室外機カバー１０の空気流入口１２において、１２ｂはスリット状の開口１２ａを形成するための横桟であり、この横桟１２ｂは外側が低く、内側が高い傾斜した形状に構成してある。このため、太陽光線が斜め上方から室外機カバー１０に差し込む時には側面板１０ｂに設けた横桟１２ｂが光線を遮って、室外機Ａに直接照射しなくなり、室外機カバー１０内の室外機Ａの温度上昇を防止することができた。
【００３８】
また、室外の空気が室内機カバー１０内に吸い込まれるときには、この空気流は横桟１２ｂによって上面板１０ｄの内側に向けて方向付けられ、室外機Ａと室外機カバー１０の上面板１０ｄとの間隔方向に誘導送風されると共に、室外機Ａがごみや埃が多いところに設置されたときには、空気流入口１２から上方に向く空気流に乗って室外機カバー１０内に向かう埃やごみは失速して横桟１２ｂに付着しやすくなる。そして、横桟１２ｂに付着した埃は室外機カバー１０の外側から横桟１２ｂをはらうと外側に脱落するようになり、掃除がしやすくなる。
【００３９】
また、このごみや埃が室外機カバー１０内に侵入させないために、１２ｃは空気流入口１２を通過する空気流を遮る網状体であり、この網状体１２ｃは室外機カバー１０の正面板１０ｃの空気流入口１２以外の全体をすっぽりおおう袋状に形成してもよい。また、室外機カバー１０の空気流入口１２の形状にあわせて開口１２ａだけが、外側から覆われるものであってもよい。このため、室外機Ａがごみや埃が多いところに設置されても、周囲の埃やごみは網状体１２ｃによって遮られて、室外機カバー１０内へ埃やごみの侵入を防ぐことができ、内装した室外機Ａのよごれは格段に少なくすることができた。
【００４０】
また、スリット状の開口１２ａを内側よりも外側が低くなる横桟１２ｂで構成するときには、この網状体１２ｃを開口１２ａの内側に装着してもよく、このときの網状体１２ｃはスリット状の開口１２ａを通過しようとするごみや埃だけが捕集され、多くの埃は横桟１２ｂに付着するから、網状体１２ｃに付着する埃の量を少なくでき、清掃の間隔を長くすることができた。
【００４１】
また、１７は室外機カバー１０の背面板１０ａの下部の２箇所に形成した切欠き部であり、前記仮設エアコンＣを構成するためのベース１５を、この切欠き部１７に位置させることができたから、室外機Ａと室内機Ｂとを配置する共通の２本のベース１５を避けるように室外機カバー１０を室外機Ａにかぶせることができた。このため、ベース１５によって一体化された室外機Ａと室内機Ｂとを備えた仮設設エアコンＣの室外機Ａは、確実に室外機カバー１０で覆うことができるようになった。
【００４２】
第４図に示す実施例は組み立て分解ができる仮設設備Ｂに合わせて、室外機カバー１０も全体形状を小さく折り畳んで収納することができるようにするもので、１８は室外機カバー１０の背面板１０ａと側面板１０ｂとの接合部に位置させた丁番であり、この側面板１０ｂの大きさを背面板１０ａの半分よりも小さくしたときには、側面板１０ｂは背面板１０ａの上に２枚並べて折り畳むことができる。
【００４３】
１９ａは両側の側面板１０ｂの前端付近に設けた上向きピンを有する係合ピン、１９ｂは正面板１０ｃの両端付近に設置されて前記係合ピン１９ａと係合する管体を備えた係合体、１９は係合ピン１９ａと係合体１９ｂとで構成する係合部であり、上向きのピンを有する係合ピン１９ａに対して、正面板１０ｃを上から降下させるように移動するときに係合体１９ｂの管体が係合ピン１９ｂのピンに嵌合する。このため、前記丁番１８で一体化した背面板１０ａと側面板１０ｂと、この係合部１９で一体化した側面板１０ｂと正面板１０ｃとによって、背面板１０ａと側面板１０ｂと正面板１０ｃは四角枠を構成することができる。
【００４４】
２０は室外機カバー１０の上面板１０ｄから下方に伸ばして形成した凸部であり、この凸部２０は四角枠を構成した背面板１０ａと側面板１０ｂと正面板１０ｃの上端部の内縁に嵌合する位置に複数箇所設けてある。前記丁番１８と係合部１９で一体化した四角枠は側部から力が加えられるとひし形に変形するが、この四角枠の上端にかぶせる上面板１０ｃに凸部２０が設けられていると、この凸部２０によってひし形変形が止められるものであり、折り畳みやすい丁番１８や係合部１９を使用していても、上面板１０ｃを載せた段階で四角枠の変形は止められ、室外機カバー１０として機能するようになる。
【００４５】
また、２２は室外機カバー１０の正面板１０ｃに設けた空気流出口１３に取り付けた空気遮断板１４の固定手段であり、この空気遮断板１４は室外機カバー１０の正面板１０ｃに取り付ける部分を強度の有る素材で形成し、その先端部の室外機Ａの正面に当接する部分を柔軟な素材で形成し、この強度のある部分の空気遮断板１４に孔を構成している。前記固定手段２２はこの孔に嵌合するシャフトを備えており、筒形の空気遮断板１４の周囲にこの固定手段２２を３個以上配置してシャフトと孔とを嵌合すれば、確実に空気遮断板１４を室外機カバー１０の正面板１０ｃに固定できる。
【００４６】
一方、この室外機カバー１０を折り畳むときは、四角枠を構成する背面板１０ａと側面板１０ｂと正面板１０ｃと、その上に載せた上面板１０ｄとの間にクランプなどの固定部があればこれを外し、上面板１０ｄを取り外す。次に、正面板１０ｃを上に向けて引き抜くと係合部１９が外れて正面板１０ｃを取り外すことができる。この状態になれば側面板１０ｂは丁番１８によって背面板１０ａに向けて折り畳むことができる。更に、正面板１０ｃに取り付けた空気遮断板１４は必要に応じて固定手段２２のシャフトを動かして取り外すことができる。したがって、仮設設備Ｄの撤収に合わせてこの室外機カバー１０も小さく折り畳んで、収納したり、他の場所へ簡単に移動できるようになった。
【図面の簡単な説明】
【００４７】
【図１】この発明の実施例を示す室外機カバーを仮設設備のエアコン装置の室外機に取り付けた要部断面図である。
【図２】この発明の実施例を示す室外機カバーの斜視図である。
【図３】この発明の実施例を示す室外機カバーの背面図である。
【図４】この発明の実施例を示す室外機カバーの折り畳み状態を示す説明図である。
【符号の説明】
【００４８】
Ａ    室外機
Ｂ    室内機
Ｃ    仮設エアコン
Ｄ    仮設設備
１    圧縮機
２    空気流路
２ａ  吹出口
２ｂ  吸込口
３    第１熱交換器
４    送風機
５    冷媒配管
６    第２熱交換器
７    室内空気流路
８    対流送風機
９    室外機枠体
１０    室外機カバー
１０ａ  背面板
１０ｂ  側面板
１０ｃ  正面板
１０ｄ  上面板
１１    所定間隔
１２    空気流入口
１２ａ  開口
１２ｂ  横桟
１２ｃ  網状体
１３    空気流出口
１４    空気遮断板
１５    ベース
１６    側壁
１７    切欠き部
１８    丁番
１９    係合部
２０    凸部
【図１】
2005134087.tif 000003
【図２】
2005134087.tif 000004
【図３】
2005134087.tif 000005
【図４】
2005134087.tif 000006